(57)【特許請求の範囲】
【請求項１】
観察物の像を一次結像面に結像させる対物光学系と；
上記一次結像面に結像された像を観察する接眼光学系と；
上記対物光学系による像の上下左右を反転する正立光学系と；
を備えた実像式ファインダにおいて、
光軸方向に一様なコ字状断面をなし光軸方向の一対の端面と一側部を開放した主枠体と、この主枠体の上記一側開放部を閉じる、主枠体とは別体の蓋体とから構成され、光軸前後方向に開口部を有し、視野枠部材を上記一次結像面上に支持する筒状体；
この筒状体の光軸前後方向の開口部を閉じる一対の透光部材；
主枠体と蓋体で構成される上記筒状体の内周面に、一次結像面を挟んで光軸方向に位置を異ならせて形成した、上記一対の透光部材の周縁部が遊嵌する一対の環状溝；
上記主枠体の互いに対向する一対の平行壁部のうち上記蓋体に接触する一側開放部に形成した、両端部が上記一対の環状溝に連通し光軸と平行な方向へ向く一対の直線状溝；及び
上記一対の環状溝の一方と一対の直線状溝の一方に連続して挿入される第１の紐状シール材と、上記一対の環状溝の他方と一対の直線状溝の他方に連続して挿入される第２の紐状シール材；
を備え、上記第１の紐状シール材と第２の紐状シール材によって、主枠体と蓋体との接触箇所を密封するとともに、上記一対の透光部材をそれぞれ対応する上記環状溝に安定保持させかつ該一対の透光部材と環状溝の間を密封することを特徴とする実像式ファインダ。
【請求項２】
請求項１記載の実像式ファインダにおいて、上記筒状体を構成する主枠体は外側面に複数の係止用突起が突設され、この主枠体とともに筒状体を構成する蓋体には、該複数の係止用突起が嵌合する孔部を有する複数の板状延設部が設けられ、該複数の係止用突起と板状延設部の孔部によって主枠体と蓋体が係止される実像式ファインダ。
【請求項３】
請求項１または２記載の実像式ファインダにおいて、上記第１の紐状シール材と第２の紐状シール材は弾性を有する材料から形成されている実像式ファインダ。
【請求項４】
請求項１ないし３いずれか１項記載の実像式ファインダにおいて、筒状体内には、機械的に視野枠の大きさを切り換える視野枠切換機構が配されている実像式ファインダ。
【請求項５】
請求項４記載の実像式ファインダにおいて、視野枠切換機構は、
上記主枠体の一対の平行壁部の一側開放部に、光軸と直交する方向へ形成された一対のＵ字溝；
この一対のＵ字溝に回動軸を回動可能に支持され、一次結像面近傍の光路上に位置する下降位置と該光路上の位置から退避する上昇位置とに回動する、上記視野枠部材とは異なる可動の視野枠部材；
を備えている実像式ファインダ。
【請求項６】
請求項５記載の実像式ファインダにおいて、一対のＵ字溝は上記一対の直線状溝と重なり、該一対のＵ字溝に支持された可動視野枠部材の回動軸は直線状溝の底面よりも突出されて蓋体との間隔を狭くしており、一対の直線状溝に挿入される上記紐状シール材は該回動軸の上に沿って配されている実像式ファインダ。
【請求項７】
請求項５または６記載の実像式ファインダにおいて、一対のＵ字溝の一方は、筒状体の外部に連通しており、該連通部分を通して外部から可動視野枠部材が回動操作される実像式ファインダ。
【発明の詳細な説明】
【０００１】
【技術分野】
本発明は、実像式ファインダに関する。
【０００２】
【従来技術及びその問題点】
実像式ファインダは、周知のように、観察物の像を視野枠上の一次結像面に結像させる対物光学系と、この一次結像面に結像された像を観察する接眼光学系と、対物光学系による像の上下左右を反転する正立光学系とを備えている。この実像式ファインダでは、一次結像面の近傍にゴミが付着すると、このゴミが接眼光学系を介して観察像と一緒に観察されてしまう。このゴミ対策として、ファインダ全体を密封構造にすることでファインダ内へのゴミの侵入を防ぐことが考えられるが、構造が複雑なファインダ全体を完全に密封するのは難しい。
【０００３】
これを解決するため、本出願人は、対物レンズ系による結像面付近のみを密封するユニット状の防塵ブロックを配した実像式ファインダを、特開平９−１７９１６８号で提案した。この防塵ブロックは、光軸の前後方向に開口を有する筒状の中空ブロックの前端面と後端面にシール材を圧入するための環状溝を形成し、この環状溝に紐状のシール材を圧入してから、中空ブロックの前後からレンズなどの透明部材によってシール材を挟着して中空ブロック内を防塵構造にするものである。中空ブロック内の結像面付近には液晶表示器が設けられており、近接撮影時やパノラマ撮影時など、実際の撮影画面とファインダの視野範囲が一致しない場合に、印加電圧を制御して液晶を部分的に濁化させて視野枠サイズを変化させることができる。中空ブロックの一部には、この液晶表示器から延びる配線の挿通孔が設けられ、この挿通孔もシール材で密封されている。
【０００４】
視野枠の切換装置が液晶表示器であれば、防塵ブロックは、以上のような筒状とすることができる。一方、ファインダ視野枠のサイズを機械的に切り換えるタイプでは、結像面付近を密封するブロックが筒状であると、該ブロック内に視野枠切換機構を配置することが難しい。また筒状の防塵ブロック内には、視野枠切換部材に限らず、部材を配置することが難しい。
【０００５】
【発明の目的】
本発明は、結像面付近を密封された防塵構造としつつ、防塵構造とされた結像面付近への部材の組付性がよい実像式ファインダを簡単な構成で提供することを目的とする。
【０００６】
【発明の概要】
本発明は、観察物の像を一次結像面に結像させる対物光学系と、一次結像面に結像された像を観察する接眼光学系と、上記対物光学系による像の上下左右を反転する正立光学系とを備えた実像式ファインダであることを前提としている。この実像式ファインダは、光軸方向に一様なコ字状断面をなし光軸方向の一対の端面と一側部を開放した主枠体と、この主枠体の上記一側開放部を閉じる、主枠体とは別体の蓋体とから構成され、光軸前後方向に開口部を有し、視野枠部材を上記一次結像面上に支持する筒状体、この筒状体の光軸前後方向の開口部を閉じる一対の透光部材、主枠体と蓋体で構成される筒状体の内周面に一次結像面を挟んで光軸方向に位置を異ならせて形成され、一対の透光部材の周縁部が遊嵌する一対の環状溝、主枠体の互いに対向する一対の平行壁部のうち蓋体に接触する一側開放部に形成され、その両端部が一対の環状溝に連通し光軸と平行な方向へ向く一対の直線状溝、一対の環状溝の一方と一対の直線状溝の一方に連続して挿入される第１の紐状シール材と、一対の環状溝の他方と一対の直線状溝の他方に連続して挿入される第２の紐状シール材を備え、第１の紐状シール材と第２の紐状シール材によって、主枠体と蓋体との接触箇所を密封するとともに、一対の透光部材をそれぞれ対応する環状溝に安定保持させかつ該一対の透光部材と環状溝の間を密封することを特徴としている。
【０００７】
筒状体を構成する主枠体は外側面に複数の係止用突起が突設され、この主枠体とともに筒状体を構成する蓋体には、該複数の係止用突起が嵌合する孔部を有する複数の板状延設部が設けられ、該複数の係止用突起と板状延設部の孔部によって主枠体と蓋体が係止されることが好ましい。
【０００９】
第１の紐状シール材と第２の紐状シール材は弾性を有する材料から形成されていることが望ましい。
【００１０】
筒状体内には、機械的に視野枠の大きさを切り換える視野枠切換機構が配されていることが望ましい。この視野枠切換機構は、上記主枠体の一対の平行壁部の一側開放部に、光軸と直交する方向へ形成された一対のＵ字溝、この一対のＵ字溝に回動軸を回動可能に支持され、一次結像面近傍の光路上に位置する下降位置と該光路上の位置から退避する上昇位置とに回動する、上記視野枠部材とは異なる可動の視野枠部材を備えていることが好ましい。
【００１１】
一対のＵ字溝は上記一対の直線状溝と重なり、該一対のＵ字溝に支持された可動視野枠部材の回動軸は直線状溝の底面よりも突出されて蓋体との間隔を狭くしており、一対の直線状溝に挿入されるシール材は該回動軸の上に沿って配されていることが好ましい。
【００１２】
一対のＵ字溝の一方は、筒状体の外部に連通しており、該連通部分を通して外部から可動視野枠部材が回動操作されることが好ましい。
【００１３】
【発明の実施の形態】
図１、図２は、本発明による実像式ファインダの構成例を示している。この実像式ファインダは、コンパクトズームカメラＣＺに適用したズームファインダであり、対物光学系１０の光軸Ｏ１と、接眼光学系２０の光軸Ｏ２とは、互いに平行をなしている。対物光学系１０の光路に沿って入った光線は、ミラーＭにより９０度曲げられて光軸Ｏ３に沿って進む。さらに光線は、第１ポロプリズム３０に入射し、その３つの反射面で反射されて、光軸Ｏ２に沿って進む。ミラーＭと第１ポロプリズム３０内の３つの反射面の４面の反射面が正立光学系を構成する。
【００１４】
対物光学系１０は、物体側から、固定レンズ１１、１２、可動変倍レンズ１３、１４からなる。この対物光学系１０は、一次結像面１６上に観察像の実像を結ぶもので、光軸Ｏ１上に配置されている。平行平面板１５、一次結像面１６、ピントレンズ１７および平行平面板１８は、光軸Ｏ３上に配置され、密封ユニット１９によって密封構造とされている。また、密封ユニット１９内における一次結像面１６の近傍には、パノラマ用視野部材６０が設置されている。接眼光学系２０は、視度調整用レンズ２１と固定レンズ２２とから構成されている。視度調整用レンズ２１は、視度調整のため、光軸Ｏ２に沿って移動可能に支持されている。
【００１５】
図３から図９は、密封ユニット１９の詳細を示している。密封ユニット１９を構成する筒状体４０は、光軸前後方向の端部と一側部を開放した断面コ字状の主枠体４１と、この主枠体４１の一側部を覆う蓋体４２によってその外形が構成されている。主枠体４１には、左右の外側面に一対ずつ、計４つの蓋体係止突起６９が突設されている。蓋体４２には、主枠体４１の外側面に沿う一対の押え板７０が設けられ、各押え板７０には、蓋体係止突起６９を嵌め込むための係合孔７１が形成されている。４箇所の係合孔７１を対応するそれぞれの蓋体係止突起６９に係合させることによって、蓋体４２は主枠体４１に取り付けられる。主枠体４１のと蓋体４２を組み合わせた状態では、筒状体４０の前端部（対物側）と後端部（ポロプリズム側）は、光束を通過させる開口部４３、４４となっている。
【００１６】
主枠体４１内の略中央には、対向壁部４１ａ、４１ｂの内壁面、及び底部４１ｃの内壁面の３面に沿って、位置決めリブ４５が設けられている。また、この位置決めリブ４５よりも開口部４４寄りには、対向壁部４１ａ、４１ｂを切り欠いて一対のレンズ保持溝４６が設けられている。ピントレンズ１７の側部には、一対のレンズ保持溝４６に対応する一対の支持突起（不図示）が側面に突設されており、該一対の支持突起を一対のレンズ保持溝４６に嵌入させることによって、光軸方向でのピントレンズ１７の位置が決まる。ピントレンズ１７は、該設置位置において、その平面状の前端面が位置決めリブ４５にわずかな隙間をもって隣接する。この隙間には、標準の撮影画面サイズに対応する視野枠サイズを形成するための開口（不図示）を有する標準視野枠板４７が挟着保持される。この標準視野枠板４７は、ほぼ上記の一次結像面１６上に位置している。蓋体４２を取り付けると、該蓋体４２に突設した押え突起７４によって、ピントレンズ１７と標準視野枠板４７は光軸Ｏ３と直交する方向にも保持される（図５、図７）。なお、図示しないが、標準視野枠板４７に接するピントレンズ１７の前面には、フォーカスフレームが蒸着されている。
【００１７】
主枠体４１内には、さらに、開口部４３と開口部４４のそれぞれから若干中央（一次結像面１６）寄りの位置に、平行平面板１５、１８を嵌め込むための下部収納溝５１、５２が形成されている。下部収納溝５１と下部収納溝５２はそれぞれ、対向壁部４１ａ、４１ｂと底部４１ｃの内周面に沿って、光軸Ｏ３と略直交する平面内に形成されている。
【００１８】
蓋体４２の下面には、主枠体４１の下部収納溝５１、５２に対応する位置に上部収納溝７２、７３が形成されており、主枠体４１に蓋体４２を取り付けると、下部収納溝５１と上部収納溝７２、下部収納溝５２と上部収納溝７３がそれぞれつながり、密封ユニット１９の内周面を一周する一対の環状溝７５、７６となる。
【００１９】
この一対の環状溝７５、７６には、平行平面板１５、１８が保持される。平行平面板１５と平行平面板１８は、ガラスやプラスチック等の透明部材で、光軸Ｏ３方向の厚みは、環状溝７５、７６に対応している。一方、平行平面板１５、１８はそれぞれ、光軸Ｏ３と直交する平面方向には環状溝７５、７６に遊嵌されるようになっていて、該環状溝７５、７６内にシール材８１、８２を圧入してはじめて安定保持されるようになっている。シール材８１、８２は、多孔質テフロン等の通気性を有する多孔質材料からなり、弾性を有している。
【００２０】
また、主枠体４１の対向壁部４１ａ、４１ｂの上記一側開放部側には、下部収納溝５１に連続し、主枠体４１の内外を連通する一対の連通部５３ａ、５３ｂと、下部収納溝５２に連続し、主枠体４１の内外を連通する一対の連通部５４ａ、５４ｂが設けられている。
【００２１】
主枠体４１（対向壁部４１ａ、４１ｂ）のうち、蓋体４２に覆われる一側開放部（開放面）には、光軸Ｏ３と平行な方向に長く、弾性のあるシール材８１、８２を圧入するための一対の直線状溝５５ａ、５５ｂが形成されている。直線状溝５５ａは、一端部が、光軸前方の連通部５３ａの近傍で前述の下部収納溝５１に連通し、他端部が、光軸後方の連通部５４ａの近傍で下部収納溝５２に連通している。直線状溝５５ｂは、一端部が、連通部５３ｂの近傍で下部収納溝５１に連通し、他端部が、連通部５４ｂの近傍で下部収納溝５２に連通している。別言すれば、一対の直線状溝５５ａ、５５ｂは、それぞれその両端が一対の環状溝７５、７６に連通されている。環状溝７５、７６と、直線状溝５５ａ、５５ｂの溝幅はほぼ等しい。なお、前述の一対のレンズ保持溝４６は、直線状溝５５ａ、５５ｂよりも光軸Ｏ３に近い内側位置に形成されている。
【００２２】
主枠体４１の一側開放部（開放面）にはさらに、光軸Ｏ３方向においてほぼ一次結像面１６に対応する位置に、主枠体４１の底面方向に向けてＵ字の断面を有する軸支持溝５６、５７が形成されている。一方の軸支持溝５６は、対向壁部４１ａの内外を連通しており、軸支持溝５７は、直線状溝５５ｂから対向壁部４１ｂの内壁面までを連通している。この軸支持溝５６、５７はそれぞれ、直線状溝５５ａ、５５ｂと重なる位置では、直線状溝５５ａ、５５ｂの底面部よりも深くなっている。対向壁部４１ａの外側面には、軸支持溝５６の下部位置に、円弧状の回動支持部５８が突設されている。
【００２３】
軸支持溝５６、５７は、パノラマ用視野部材６０の回動軸６２を回動可能に支持する。パノラマ用視野部材６０は、この回動軸６２から主枠体４１の内部形状に対応させて延設した板状部６１の略中央に、横長矩形のパノラマ視野用開口６３が形成されている。パノラマ用視野部材６０は、回動軸６２を中心として、板状部６１が光軸Ｏ３上に位置される下降回動位置（図７）と、光軸Ｏ３上から退避する上昇回動位置（図５）とに回動可能であり、下降回動位置では、板状部６１が、標準視野枠板４７に隣接して位置され、接眼光学系２０を介して観察される視野は、パノラマ視野用開口６３によって規制された横長のパノラマサイズになる。反対に、パノラマ用視野部材６０の上昇回動位置では、パノラマ用視野部材６０は光路上にないので、標準視野枠板４７の視野枠が観察範囲となる。
【００２４】
軸支持溝５６、５７に支持された回動軸６２は、その円筒状の頂部が直線状溝５５ａ、５５ｂの底面よりも高く位置されるが、この回動軸６２の頂部と蓋体４２の間には若干の隙間ｄがある（図８）。
【００２５】
筒状体４０の対向壁部４１ａの外側面には、回動軸６２を中心としてパノラマ用視野部材６０を回動操作するための回動操作部６５が支持されている。この回動操作部６５は、軸支持溝５６に支持された回動軸６２に固定された円板部６６と、この円板部６６の回転中心と偏心の位置に突設された操作ピン６７からなっている。円板部６６は、その周縁部が前述の回動支持部５８の支持を受けている。
【００２６】
シール材８１、８２の配設と密封ユニット１９の組み立ては、次のように行われる。まず蓋体４２を取り付ける前に、前述のピントレンズ１７、標準視野枠板４７、パノラマ用視野部材６０（回動操作部６５）を主枠体４１へ組み付ける。ピントレンズ１７は、レンズ保持溝４６に接着剤を注入するなどの方法で固定される。
【００２７】
続いて、シール部材８１、８２を取り付ける。弾性を有するシール材８１、８２は、紐状に構成されており、その断面径は、環状溝７５、７６や直線状溝５５ａ、５５ｂの溝幅よりも大きい。図５、図７及び図８中に一点鎖線で描かれたシール材８１、８２はそれぞれ、各溝部内に挿入される前の状態（自由状態）の断面形状を示すものであり、弾性変形させることによって各溝部に圧入することができる。
【００２８】
平行平面板１８は、下部収納溝５２にシール材８２を圧入した状態で、この下部収納溝５２内に嵌め込まれる。例えば図３と図９に示すように、シール材８２を、一端が連通部５４ａから突出する状態で下部収納溝５２内に沿わせておく。ここで、平行平面板１８を下部収納溝５２に嵌め込むと、平行平面板１８の周縁部と下部収納溝５２の底面部に挟まれてシール材８２が下部収納溝５２内に圧入され、平行平面板１８と下部収納溝５２の隙間を密封する。この時点でシール材８２の他端は、所定の長さを余らせて、連通部５４ｂの近傍で下部収納溝５２から外に出ている。
【００２９】
続いてシール材８２は、対向壁部４１ｂの近傍位置から平行平面板１８の上端面に取り回され、該上端面に沿って連通部５４ａの近傍位置に戻される。つまり、この時点でシール材８２は平行平面板１８の周縁の４面を囲んで配されているが、平行平面板１８の上端面側の部分は載せられているだけである。
【００３０】
さらにシール材８２は、主枠体４１の開口部４３側（前端部側）に曲折されて直線状溝５５ａに沿って配され、直線状溝５５ａの光軸前方側の端部まで至ると、他端部が連通部５３ａから外部に出される。
【００３１】
なお、軸支持溝５６に支持されるパノラマ用視野部材６０の回動軸６２は、その外周面が直線状溝５５ａの底部よりも若干盛り上がった状態にあるが、直線状溝５５ａに沿うシール材８２は、この回動軸６２上を通される。
【００３２】
同様に、平行平面板１５も、紐状のシール材８１を挟んでおいてから下部収納溝５１に嵌め込まれる。シール材８１は、シール材８２とは反対側の連通部５３ｂから一端部が突出されていて、下部収納溝５１に沿って配置される。ここで平行平面板１５を下部収納溝５１に嵌め込むと、下部収納溝５１内にシール材８１が圧入され、平行平面板１５と下部収納溝５１の隙間を密封する。さらにシール材８１は平行平面板１５の上端面を通って連通部５３ｂの近傍に戻され、主枠体４１の開口部４４側（後端側）に曲折されて直線状溝５５ｂに沿って配置され、該直線状溝５５ｂの光軸後方の端部において、連通部５４ｂから主枠体４１の外部に出される。シール材８２と同様に、シール材８１は、軸支持溝５７に支持されて直線状溝５５ｂの底部よりも高くなっている回動軸６２の外周面上を通される。
【００３３】
続いて、主枠体４１に蓋体４２を取り付ける。蓋体４２を取り付けると、平行平面板１５の上端面に沿って配されているシール材８１が、蓋体４２の下面に形成した上部収納溝７２の底面部内に圧入される。これにより、シール材８１が潰されて平行平面板１５と上部収納溝７２の間を密封する。同様に、平行平面板１８の上端面に配されているシール材８２は、上部収納溝７３内に圧入され、上部収納溝７３と平行平面板１８の間を密封する。つまり、平行平面板１５の周縁部とこれを支持する環状溝７５の間は、シール材８１によって密封され、平行平面板１８の周縁部と環状溝７６の間は、シール材８２で密封される。
【００３４】
同時に、直線状溝５５ａに沿うシール材８２と、直線状溝５５ｂに沿うシール材８１は、蓋体４２の下面によって直線状溝５５ａ、５５ｂ内に圧入され、主枠体４１と蓋体４２の接続部分を密封する。なお、前述したように、回動軸６２の設置位置では、特に回動軸６２と蓋体４２の隙間ｄが狭くなっているため（図８）、該部分ではシール材８１、８２のつぶし量は大きくなるが、これは、シール材８１、８２の復元力によって回動軸６２を押さえ、パノラマ用視野部材６０を上昇回動位置及び下降回動位置に安定保持させるための構成である。
【００３５】
最後に、各連通部５３ａ、５３ｂ、５４ａ及び５４ｂから突出しているシール材８１、８２の突出部分を切断する。密封ユニット１９の完成状態では、筒状体４０の光軸前方と光軸後方の開口部は、それぞれ平行平面板１５、１８で閉じられており、この平行平面板１５、１８の周縁部は、シール材８１、８２によって密封されている。また、シール材８１、８２は、主枠体４１と蓋体４２の接続部分も密封している。よって、密封ユニット１９内は、塵が侵入することのない閉空間として保たれる。一方でシール材８１、８２は、通気性を有する多孔質材料であり、密封ユニット１９内の閉空間と外部との通気が確保されているので、温度変化によって密封ユニット１９内外の圧力差が生じることはない。
【００３６】
なお密封ユニット１９の組立に際して、シール材８１、８２は、下部収納溝５１、５２や直線状溝５５ａ、５５ｂ内に予め若干量圧入させておいてから、平行平面板１５、１８や蓋体４２で押さえるようにすることが好ましい。
【００３７】
密封ユニット１９は、以上の完成状態で図１に示すファインダ光学系内の所定位置に設置される。コンパクトズームカメラＣＺには、密封ユニット１９の側部に沿って位置される連動部材９０と、カメラの外部から操作可能な撮影画面サイズ切換スイッチ（不図示）と、該切換スイッチの操作に連動して撮影画面サイズを標準サイズとパノラマサイズに切り換える撮影画面サイズ切換機構（不図示）とを有している。板状の連動部材９０は、撮影画面サイズ切換スイッチと機械的に連動しており、スイッチ操作に応じて光軸Ｏ３と略平行な方向に進退される。連動部材９０は、密封ユニット１９の外部に露出する回動操作部６５の操作ピン６７を挟む、一対のピン保持腕９１を有している。
【００３８】
標準サイズの撮影画面が選択されているとき、連動部材９０は図４に示す位置にある。連動部材９０の該位置では、ピン保持腕９１に挟まれる操作ピン６７を介して、パノラマ用視野部材６０は図５に示す上昇回動位置に位置される。つまり、接眼光学系２０を介して観察される視野は標準視野枠板４７で決定されたものとなる。
【００３９】
撮影画面サイズ切換スイッチを操作してパノラマ撮影に切り換えると、連動部材９０は図６に示す位置に移動される。この移動によって、操作ピン６７を介して回動軸６２が回動され、パノラマ用視野部材６０は図７に示す下降回動位置に回動する。よって、接眼光学系２０を介して観察される視野は、パノラマ視野用開口６３で規制されたものとなる。
【００４０】
以上のように、本発明では、防塵ブロックを、断面コ字状の主枠体と、これと別体の蓋体から構成しているので、機械的な視野枠切換機構を容易に、防塵ブロック内の閉空間に配設することができる。また、蓋体の嵌め込みによって一度に密封作業が完成するので、筒状のブロックの前後端面にシール材や透明部材を配するよりも組み立てに手間がかからず、作業性がよい。
【００４１】
本発明は、以上の実施形態に限定されるものではない。実施形態の視野枠の切換機構は、光軸Ｏ３と直交する回動軸６２を中心に回動させることで板状部６１を光路上と光路外に駆動させるものである。この方式は、視野枠部材の駆動機構が簡単で、かつ視野枠部材の退避スペースを広くとる必要がないという点で、密封ユニット１９の構成を簡単にし、小型化が可能であるという利点がある。しかし、本発明は、従来の筒状の密封ユニットではその内部に配置が難しかった部材を、蓋体を後付けする構造とすることによって、容易に配設可能としたものである。よって密封ユニット内の視野枠切換機構は、以上の形態と同じでなくても組付作業性の向上が期待できる。さらに言えば、密封ユニット内には、視野枠切換機構以外の部材を配設するものでもよく、例えば、ピントレンズ１７の装着を例としても、上側が開いた主枠体４１に落とし込むだけでよいから、取り付け作業が容易である。
【００４２】
また、密封ユニットの前端部と後端部に配される透光部材は、平行平面板でなく、レンズとすることも可能である。
【００４３】
【発明の効果】
以上のように本発明によれば、結像面付近を密封された防塵構造としつつ、防塵構造とされた結像面付近への部材の組付性がよい実像式ファインダを簡単な構成で得ることができる。
【図面の簡単な説明】
【図１】本発明による実像式ファインダの具体例を示す平面図である。
【図２】図１のII矢視正面図である。
【図３】一次結像面付近に配置される密封ユニットの下部枠体の平面図である。
【図４】標準視野状態にある密封ユニットの側面図である。
【図５】標準視野状態にある密封ユニットを、図３のＡ−Ａ線に沿う断面で示した図である。
【図６】パノラマ視野状態にある密封ユニットの側面図である。
【図７】パノラマ視野状態にある密封ユニットを、図３のＡ−Ａ線に沿う断面で示した図である。
【図８】図６のVIII−VIII線に沿って示す断面図である。
【図９】図６のIX−IX線に沿って示す断面図である。
【符号の説明】
１０  対物光学系
１５  １８  平行平面板
１６  一次結像面
１７  ピントレンズ
１９  密封ユニット
２０  接眼光学系
３０  第１ポロプリズム
４０  筒状体
４１  下部枠体
４１ａ  ４１ｂ  対向壁部
４２  蓋体
４３  ４４  開口部
４７  標準視野枠板
５１  ５２  下部収納溝
５３ａ  ５３ｂ  ５４ａ  ５４ｂ  連通部
５５ａ  ５５ｂ  直線状溝
５６  ５７  軸支持溝
６０  パノラマ用視野部材
６２  回動軸
６５  回動操作部
６９  蓋体係止突起
７０  押え板
７２  ７３  上部収納溝
８１  ８２  シール材
９０  連動部材
【図１】
0003709066.tif 000002
【図２】
0003709066.tif 000003
【図３】
0003709066.tif 000004
【図４】
0003709066.tif 000005
【図５】
0003709066.tif 000006
【図６】
0003709066.tif 000007
【図７】
0003709066.tif 000008
【図８】
0003709066.tif 000009
【図９】
0003709066.tif 000010